【手続補正書】
【提出日】平成21年9月16日(2009.9.16)
【手続補正１】
【補正対象書類名】明細書
【補正対象項目名】全文
【補正方法】変更
【補正の内容】
【発明の詳細な説明】
【発明の名称】建物の空間構造
【技術分野】
【０００１】
この発明は、建物の内部空間を有効に利用出来る建物の空間構造に関するものである。
【背景技術】
【０００２】
従来、図３０に示すような蔵型収納室２を設けた平屋建物１が、知られている（例えば、特許文献１等参照）。
【０００３】
このような平屋建物１では、玄関３のある第一層４には、リビング５が連続して設けられていて、このリビング５の床部５ａから、リビング内階段６によって、半階上がった位置に第二層７が設けられている。
【０００４】
この第二層７には、居室８が設けられると共に、更に、この第二層７よりも半階上がった位置であって、玄関３上に位置する第三層９には、階段１１から昇降可能な居室１０が設けられている。
【０００５】
そして、この第二層７の居室８の床部８ａの床下には、前記大型収納区画を構成する蔵型収納室２が設けられている。
【０００６】
この蔵型収納室２の出入口１２は、第１層４上のリビング５に面して設けられていて、床部２ａの高さ位置が、前記リビング５の床部５ａの高さ位置と面一となるように構成されている。
【０００７】
また、折り返し階段の踊り場を奥行き方向に広く設定して、スペースとして活用する建物の空間構造が、知られている（例えば、特許文献２，３等参照）。
【０００８】
更に、その折り返し階段の踊り場の下方に床面が、下階床面より低い位置となるように構成された床下収納室が設けられた建物の空間構造も知られている（例えば、特許文献４等参照）。
【先行技術文献】
【特許文献】
【０００９】
【特許文献１】特開２００５−９７９３２号公報
【特許文献２】特開平１０−３１７６２７号公報
【特許文献３】特開平１１−３３６３４４号公報
【特許文献４】特開平１０−３１７６８９号公報
【発明の開示】
【発明が解決しようとする課題】
【００１０】
しかしながら、このような従来の建物の空間構造では、蔵型収納室２の出入口１２が、第１層４上のリビング５に面して設けられている。
【００１１】
このため、玄関３スペースから、蔵型収納室２に行くためには、前記リビング５空間内を通らなければならず、土足のままで荷物等を取り出せない等、外部とのアクセス性が良好であるとは言い難かった。
【００１２】
また、蔵型収納室２が、第二層７の居室８の床部８ａによって、平屋建物１の限られた上下方向の空間を区切ることにより構成されている。
【００１３】
このため、高さ方向の寸法ｈを大きく設定することは困難で、閉塞感が強くなってしまうといった問題もあった。
【００１４】
そこで、この発明は、建物外部とのアクセス性が良好で、建物内の限られたスペースを有効活用出来、開放感を得られる建物の空間構造を提供することを課題としている。
【課題を解決するための手段】
【００１５】
上記目的を達成するために、請求項１に記載された発明は、下階床部と、上階床部とを連結すると共に、中間部に踊り場が形成されて、折り返す折り返し階段を有し、該踊り場の階段昇降方向と平面視で平行する辺に、該踊り場と略同一高さとして、該踊り場と連設される中間床部を設け、前記折り返し階段の下階段部と、上階段部とのうち、何れか少なくとも一方が、該中間床部を挟んで、該建物の玄関とは、反対側に設けられ、該中間床部の下方には、下階床部の床面よりも低い位置に床面を有すると共に、前記折り返し階段と、該建物の玄関土間部との間に、中間床下空間が設けられていて、該折り返し階段の下方に設けられた階段下通路の床面の上下方向位置を、該中間床下空間の床面の上下方向位置と、同じ高さとなるように揃えて、前記下階床部の床面よりも低い位置に設定した建物の空間構造を特徴としている。
【００１６】
そして、請求項２に記載されたものは、前記折り返し階段が、下階段部と、上階段部とを隣接させて、前記中間床部を挟んで、該建物の玄関とは、反対側に設けられた請求項１記載の建物の空間構造を特徴としている。
【００１７】
また、請求項３に記載されたものは、前記折り返し階段が、下階段部と、上階段部との間に、前記中間床部を設けている請求項１記載の建物の空間構造を特徴としている。
【００１８】
更に、請求項４に記載されたものは、前記折り返し階段の下方では、前記下階床部と、階段下通路の床面との間を下り階段が接続する請求項１乃至３のうち、いずれか一項記載の建物の空間構造を特徴としている。
又は２記載の建物の空間構造を特徴としている。
【００１９】
そして、請求項５に記載されたものは、前記中間床下空間のうち、前記玄関土間部と反対側の壁面には、屋外と連通する出入口部が形成されている請求項１乃至４のうち、いずれか一項記載の建物の空間構造を特徴としている。
【００２０】
更に、請求項６に記載されたものは、前記玄関土間部と、前記中間床下空間との間には、連続性を保ちつつ、半遮蔽を行う半区画手段が設けられている請求項１乃至５のうち、何れか一項記載の建物の空間構造を特徴としている。
【００２１】
そして、請求項７に記載されたものは、前記半区画手段は、玄関土間の床部と、中間床下空間の床部との間に、形成される床段差である請求項６記載の建物の空間構造を特徴としている。
【００２２】
また、請求項８に記載されたものは、前記半区画手段は、前記折り返し階段の側縁に沿って設けられる手摺部に装着された半透明の目隠し板材である請求項６記載の建物の空間構造を特徴としている。
【００２３】
更に、請求項９に記載されたものは、前記中間床下空間の高さが、１６００ｍｍ以上である請求項１乃至８のうち何れか一項記載の建物の空間構造を特徴としている。
【００２４】
また、請求項１０に記載されたものは、前記中間床下空間は、前記折り返し階段のうち、下階段部及び上階段部との間で、踊り場と連続して一体に形成される中間床部の下方に位置する請求項１乃至９のうち、何れか一項記載の建物の空間構造を特徴としている。
【００２５】
更に、請求項１１に記載されたものは、前記少なくとも中間床部を内部に有する建物ユニットの上部に、床面部が省略されて、前記中間床部の上方の中間床上空間と、内部空間とを連通させる建物ユニットが載置される請求項１乃至１０のうち、何れか一項記載の建物の空間構造を特徴としている。
【００２６】
また、請求項１２に記載されたものは、前記建物ユニットの内部に設けられた中間床部又は、該中間床部に連結される折り返し階段の手摺部には、半透明の目隠し板材が装着されている請求項１１記載の建物の空間構造を特徴としている。
【００２７】
更に、請求項１３に記載されたものは、前記建物ユニットの内部に設けられた中間床部に連結される折り返し階段には、各段部間に水平方向に連通する開口部が形成されている請求項１１又は１２記載の建物の空間構造を特徴としている。
【００２８】
そして、請求項１４に記載されたものは、前記建物ユニットの平面視で、長辺側の側面部に、他の建物ユニットの短辺側の側面部を連結すると共に、該他の建物ユニットの柱部が、各建物ユニット間の動線上以外に位置する請求項１乃至１３のうち、何れか一項記載の建物の空間構造を特徴としている。
【発明の効果】
【００２９】
このように構成された請求項１記載のものは、前記中間部に踊り場が形成された階段の下方に、下階床部の床面よりも低い位置に床面を有する階段下通路が、設けられていて、該階段下通路の床面の上下方向位置が、該中間床下空間の床面の上下方向位置と、同じ高さとなるように揃えられて、前記下階床部の床面よりも低い位置に設定されているので、更に、建物の奥側に設けられたキッチンから、或いは、前記中間床下空間の前記玄関土間部と反対側の壁面に形成された前記出入口部が、屋外に連通して形成されている場合には、外部から、該中間床下空間へ往来を行う際のアクセス性が良好である。
【００３０】
このため、該中間床下空間を、食品等の収納庫やサービスヤードとして用いて好適である。
【００３１】
また、中間床部が、略中央部に形成されるので、視覚的に広がりを有する中間床上空間が得られると共に、一階，二階の居室部からのアクセス性も良好である。
【００３２】
そして、該中間床部の下方には、独立性の高い中間床下空間が提供されると共に、壁面等を設けないプランでは、一階居室空間と、該中間床下空間とが、一体となるオープンスペース提案が可能となる。
【００３３】
更に、請求項２に記載されたものは、前記折り返し階段が、下階段部と上階段部とを隣接させて、前記中間床部を挟んで、該建物の玄関とは、反対側に設けられているので、建物の奥側に設けられたキッチンから、或いは、玄関土間部から、該中間床下空間へ往来を行う際のアクセス性が良好である。
【００３４】
このため、該中間床下空間を、食品等の収納庫やサービスヤードとして用いて好適である。
【００３５】
しかも、玄関土間部に、中間床部が連設されているので、中間床上空間から階段の上に連続する吹き抜け空間が形成されて、玄関開口部方向から見た場合に、奥行きを伴った視覚的な開放感を与えることができる。
【００３６】
また、請求項３に記載されたものは、前記折り返し階段の下階段部と、上階段部との間に、中間床部が設けられている。
【００３７】
このため、視覚的に広がりを有する中間床上空間が、得られると共に、下階，上階の居室部からのアクセス性も良好である。
【００３８】
また、この中間床部の下方には、独立性の高い中間床下空間が提供されると共に、壁面等を設けないプランでは、下階居室空間と、この中間床下空間とが、一体となるオープンスペース提案が可能となる。
【００３９】
更に、請求項４に記載されたものは、前記折り返し階段の下方では、前記下階床部と、階段下通路の床面との間が、下り階段によって、接続されている。
【００４０】
このため、中間床下空間へ往来を行う際のアクセス性が良好である。
【００４１】
また、前記中間部に踊り場が形成された階段の下方に、階段下通路が、設けられているので、更に、前記玄関土間を介して、建物の外部から、該中間床下空間へ往来を行う際のアクセス性が良好である。
【００４２】
そして、請求項５に記載されたものは、前記中間床下空間の前記玄関土間部と反対側の壁面に形成された前記出入口部が屋外に連通して形成されている。
【００４３】
このため、屋外に該出入口部を通過して、出入り可能となるので、例えば、該建物が、他の建物や構造物等と、隣接して構築されていて、該建物の外周を通行しにくい状態であっても、前記玄関土間部の玄関開口部から建物内に入り、前記階段下通路を通り、前記中間床下空間の該出入口部から、該建物の裏側へ往来することが出来る。
【００４４】
従って、限られた敷地条件であっても、更に、有効に活用できる。
【００４５】
更に、請求項６に記載されたものは、前記玄関土間部と、前記中間床下空間との間に設けられた半区画手段によって、連続性が保たれつつ、半遮蔽が行われる。
【００４６】
このため、更に、多様なプランニングに対応させることができる。
【００４７】
そして、請求項７に記載されたものは、前記半区画手段として形成される床段差によって、玄関土間の床部と、中間床下空間の床部との間が、半区画されている。
【００４８】
従って、該床段差によって、往来が確保されて連続性が保たれつつ、前記中間床下空間の位置が下がり、視覚上、半遮蔽が行われる。
【００４９】
また、請求項８に記載されたものは、前記半区画手段としての半透明の目隠し部材が、前記折り返し階段の側縁部に沿って設けられている。
【００５０】
このため、該目隠し部材によって、前記中間床下空間及び、中間床部の上方に位置する空間が、玄関土間部から視覚上、半遮蔽されつつ、気配を感じられる程度の連続性が得られる。
【００５１】
更に、請求項９に記載されたものは、前記中間床下空間の高さが、１６００ｍｍ以上であるので、利用者は、無理のない姿勢で利用できる。
【００５２】
また、請求項１０に記載されたものは、独立性の高い中間床下空間が提供される。
【００５３】
更に、請求項１１に記載されたものは、前記少なくとも中間床部を内部に有する建物ユニットの上部に、床面部が省略された建物ユニットが載置されると、前記中間床部の上方の中間床上空間と、内部空間とが連通されて、垂直方向に向けて、いわゆる吹き抜け空間が拡大することにより開放感を得ることができる。
【００５４】
また、該建物ユニット内に、該中間床部の上方空間に連続して、玄関土間部の上方空間、又は、階段及び踊り場上方空間が、設けられている場合には、水平方向に向けて拡大されている空間に、垂直方向も加えられた両方向に、開放感を得られる吹き抜け空間が形成される。
【００５５】
そして、請求項１２に記載されたものは、前記階段の手摺部に装着された半透明の目隠し板材が、前記建物ユニットの内部を、視覚上、半遮蔽しつつ、開放感が損なわれることがない。
【００５６】
更に、請求項１３に記載されたものは、前記建物ユニットの内部に設けられた中間床部に連結される階段に形成された開口部が、各段部間に水平方向に連通するように形成されている。
【００５７】
このため、更に、開放感を向上させることができる。
【００５８】
また、請求項１４に記載されたものは、前記建物ユニットの平面視で、長辺側の側面部に、他の建物ユニットの短辺側の側面部が連結される。
【００５９】
このため、建物の間口方向の寸法を大きく設定できない場合等であっても、各建物ユニットの組み合わせにより、多彩で合理的なプランが得られる。
【００６０】
しかも、該他の建物ユニットの柱部が、各建物ユニット間の動線上以外に位置しているので、移動の妨げとなることがない。
【図面の簡単な説明】
【００６１】
【図１】この発明の最良の実施の形態の建物の空間構造で、玄関ユニット全体の構成を説明し、玄関ユニットから居室空間方向を見た図２中Ａ−Ａ線に沿った位置での断面図である。
【図２】実施の形態の建物の空間構造が用いられるユニット建物の模式的な斜視図である。
【図３】実施の形態の建物の空間構造で、居室空間から玄関ユニット方向を見た図２中Ｂ−Ｂ線に沿った位置での断面図である。
【図４】実施の形態の建物の空間構造で、玄関ユニット内の構成を説明し、玄関土間部から中間床上，下空間方向を見た図２中Ｃ−Ｃ線に沿った位置での断面図である。
【図５】実施の形態の建物の空間構造で、ユニット建物の一階部分の構成を説明する図２中Ｄ−Ｄ線に沿った位置での断面図である。
【図６】実施の形態の建物の空間構造で、ユニット建物の二階部分の構成を説明する図２中Ｅ−Ｅ線に沿った位置での断面図である。
【図７】実施の形態の建物の空間構造で、玄関ユニット内の床の構成を説明する図２中Ｆ−Ｆ線に沿った位置での断面図である。
【図８】実施の形態の参考例１の建物の空間構造で、一階居室部から、折り返し階段及び中間床部方向を見た正面図である。
【図９】実施の形態の参考例１の建物の空間構造で、二階居室部から、中間床部及び折り返し階段の踊り場方向を見た斜視図である。
【図１０】実施の形態の建物の空間構造で、玄関ユニット桁側壁面の内部の構成を説明する内壁面材を外した状態での正面図である。
【図１１】実施の形態の建物の空間構造で、玄関ユニット妻側壁面の内部の構成を説明する内壁面材を外した状態での正面図である。
【図１２】実施の形態の建物の空間構造で、壁面部に踊り場若しくは中間床部が接続される部分の構成を示す水平拡大断面図である。
【図１３】実施の形態の建物の空間構造で、壁面部に踊り場若しくは中間床部が接続される部分の構成を示す鉛直方向拡大断面図である。
【図１４】実施の形態の建物の空間構造で、壁面部から突設されるフレーム受け金物部材の正面図である。
【図１５】実施の形態の参考例２の建物の空間構造で、玄関土間部から、折り返し階段及び中間床部方向を見た正面図である。
【図１６】実施の形態の参考例２の建物の空間構造で、一階居室部から、折り返し階段及び中間床部方向を見た正面図である。
【図１７】実施の形態の参考例２の建物の空間構造で、二階居室部から、中間床部及び折り返し階段の踊り場方向を見た斜視図である。
【図１８】実施の形態の参考例３の建物の空間構造で、玄関土間部から、折り返し階段及び中間床部方向を見た正面図である。
【図１９】実施の形態の参考例３の建物の空間構造で、一階居室部から、折り返し階段及び中間床部方向を見た正面図である。
【図２０】実施の形態の参考例３の建物の空間構造で、二階居室部から、中間床部及び折り返し階段の踊り場方向を見た斜視図である。
【図２１】実施の形態の参考例４の建物の空間構造で、玄関部、階段部、中間床部が一体に装着された玄関ユニット及び正面部が、設けられていない吹き抜け空間を形成する玄関ユニットの載置状態での斜視図である。
【図２２】実施の形態の参考例４の建物の空間構造で、玄関ユニットの１，２階部分の構成を示す水平断面図である。
【図２３】実施の形態の実施例１の建物の空間構造で、玄関ユニットの１，２階部分の構成を示す水平断面図である。
【図２４】実施の形態の実施例２の建物の空間構造で、玄関ユニットの１，２階部分の構成を示す水平断面図である。
【図２５】実施の形態の実施例３の建物の空間構造で、玄関ユニットの１，２階部分の構成を示す水平断面図である。
【図２６】実施の形態の実施例４の建物の空間構造が用いられるユニット建物の模式的な斜視図である。
【図２７】実施の形態の実施例４の建物の空間構造で、玄関ユニットの１，２階部分の構成を示す水平断面図である。
【図２８】実施の形態の実施例５の建物の空間構造が用いられるユニット建物の模式的な斜視図である。
【図２９】実施の形態の実施例５の建物の空間構造で、玄関ユニットの１，２階部分の構成を示す水平断面図である。
【図３０】従来例の建物の内部空間構造で、全体の構成を説明する建物の縦断面図である。
【発明を実施するための形態】
【００６２】
以下、本発明の実施の形態について、図面を参照しつつ説明する。
【００６３】
図１乃至図１４は、この発明の最良の実施の形態の建物の空間構造を示すものである。
【００６４】
まず、構成から説明すると、この実施の形態の建物の空間構造は、図２に示すような建物ユニットとしての居室ユニット１６，１６及び玄関ユニット１７を複数組み合わせてなる住宅としてのユニット建物１５に設けられている。
【００６５】
このユニット建物１５では、主に、図３又は図４に示すように、内部に居室空間としての一階居室空間ａを構成する複数の居室ユニット１６…が、建物の奥行き方向Ｌに、並設されると共に、二階建て建物を構成するように、二層に積層されて設置されている。
【００６６】
また、図２に示すように、この居室ユニット１６…の妻側面部１６ｔと、妻桁繋ぎとなるように、玄関ユニット１７，１７が、二層に積層されて、建物の奥行き方向Ｌに長手方向を沿わせて設けられていて、図５に示す玄関土間部ｇの上方に、図６に示すような玄関部吹き抜け空間ｆを、内部に有して、ユニット建物１５のファザード（顔）が構成されている。
【００６７】
このうち、下階の前記玄関ユニット１７の内部には、図１に示すように、前記居室ユニット１６，１６の下階床部１６ａと、上階床部１６ｂとを連結する階段としての折り返し階段１８が設けられている。
【００６８】
また、この折り返し階段１８の中間部には、踊り場１９が形成されている。
【００６９】
この実施の形態の折り返し階段１８の段数は、１４段で、下階床部１６ａから７段目の前記踊り場１９までの下階段部１８ａ及びこの踊り場１９から上階床部１６ｂまでの上階段部１８ｂとを有し、各上，下階段部１８ｂ，１８ａを構成する複数の踏み板２０…を一定間隔で支持する金属フレーム製の一対のササラ桁材２１，２１と、この各上，下階段部１８ｂ，１８ａの各両側縁に沿って設けられた手摺部２２，２２とが、設けられて主に構成されている（図３参照）。
【００７０】
また、この実施の形態では、折り返し階段１８の各段部の板材間が、図１に示すように、各々水平方向紙面前後に連通するように開放された開口部形状を呈している。
【００７１】
そして、この踊り場１９の階段昇降方向と平面視で平行する辺には、この踊り場１９と略同一高さとして、この踊り場１９と連設される中間床部２３が、設けられている。
【００７２】
これらの前記踊り場１９及び中間床部２３は、図１０乃至図１４に示すような外壁パネル３１と内壁材３２との間の空間に設けられて、上，下梁フレーム部材２６，２７間を連結する中柱部材２８，２８及び２９，２９の側面から突設されて、一体に設けられるフレーム受け金物部材３０…によって、下方から支持されている。
【００７３】
すなわち、この中柱部材２８及び２９は、図１２に示すように、建物内側を開放する断面略コ字状を呈して、複数のボルト部材３３…及びナット部材３４…が用いられて、内側に係合される前記フレーム受け金物部材３０…を各々締結固定するように構成されている。
【００７４】
このフレーム受け金物部材３０には、前記内壁材３２を貫通して、一体に突設される桁取付金物部３０ａが設けられている。
【００７５】
そして、この桁取付金物部３０ａの上面３０ｂに、図１３及び図１４に示すように、前記踊り場１９及び中間床部２３の下面側に一定間隔を置いて並設された根太フレーム部材３７…が、上方から嵌着されて、各々連結部材３５，固定板材３６及びスペーサ部材３９等を介して、ボルト部材３３，ナット部材３４及び、複数の取付ビス部材３８…が用いられて、固定されている。
【００７６】
更に、この中間床部２３の下方には、前記下階床部１６ａの床面１６ｃよりも低い位置に、コンクリート製の床面２５を有する中間床下空間ｂが設けられている。
【００７７】
この中間床下空間ｂの床面２５の高さ位置は、図１に示すように、地盤面ＧＬの高さ位置近くまで低く設定されている。
【００７８】
また、図１に示すように、この床面２５から、踊り場１９及び中間床部２３までの高さＨ１は、約１７５０ｍ、下階床部１６ａの床面１６ｃから、踊り場１９及び中間床部２３の上面までの高さＨ２は、約１４００ｍｍ、下階床部１６ａの床面１６ｃから、踊り場１９及び中間床部２３の下面までの高さＨ３は、約１２００ｍｍ、中間床部２３から上階床部１６ｂまでの高さＨ４は、約１４００ｍｍに設定されている。
【００７９】
そして、この実施の形態では、前記玄関土間部ｇの床面から、下階床部１６ａの床面１６ｃまでの高さＨ５が、約２００ｍｍに設定されて、前記床面２５と、玄関土間部ｇの床面−＋までの間には、連続性を保ちつつ、半遮蔽が行われる半区画手段の一つとしての床段差４０が設定されて、この床段差４０が、下り階段４０ａによって接続されている。
【００８０】
更に、この実施の形態では、前記床面２５から、下階床部１６ａの床面１６ｃまでの高さＨ６が、約５００ｍｍに設定されて、踊り場下階段４１によって、前記一階居室空間ａと、この中間床下空間ｂとの間が、往来可能となるように接続されて、構成されている。
【００８１】
そして、前記中間床下空間ｂは、前記折り返し階段１８を挟んで、ユニット建物１５を構成する玄関ユニット１７の玄関土間部ｇと反対側に位置していて、この折り返し階段１８の下方には、前記玄関土間部ｇと、前記中間床下空間ｂとを連通する階段下通路２４が設けられている。
【００８２】
また、前記中間床下空間ｂのうち、前記玄関土間部ｇと反対側の壁面４２には、屋外と連通する出入口部４３が、開閉自在に設けられる通用扉４３ａを有して形成されている。
【００８３】
更に、この実施の形態では、前記半区画手段の一つとして、図４に示すように、前記折り返し階段１８の側縁に沿って設けられた手摺部２２，２２には、半透明の目隠し板材４４…が、複数枚装着されている。
【００８４】
次に、この実施の形態の建物の空間構造の作用効果について説明する。
【００８５】
この実施の形態の建物の空間構造では、前記中間部に踊り場１９が、形成された折り返し階段１８の下方に、階段下通路２４が、設けられているので、前記玄関土間部ｇと、前記中間床下空間ｂとが連通して、この玄関土間部ｇを介して、ユニット建物１５の外部から、前記中間床下空間ｂへ往来を行う際のアクセス性が良好である。
【００８６】
しかも、前記中間床部２３の下方に設けられた中間床下空間ｂの床面２５は、下階床部１６ａの床面１６ｃよりも低い位置に存在するので、更に、階段下通路２４の高さ方向寸法を確保しやすく、往来を容易に行うことができる。
【００８７】
また、中間床下空間ｂの高さ方向寸法Ｈ１も、床面２５が、下階床部１６ａの床面１６ｃと面一である場合に比して、大きく設定できる。
【００８８】
このため、中間床下空間ｂ内でも、開放感を得ることができると共に、中間床部２３の
高さ方向位置を、上階床部１６ｂに比して低く設定できる。
【００８９】
従って、図４に示すように、中間床部２３の上方に位置する中間床上空間ｄの高さ方向寸法も容易に大きく確保出来、この点においても、開放感を得られると共に、ユニット建物１５内の限られたスペースを有効活用して、多様なプランニングに対応させることができる。
【００９０】
また、前記中間床下空間ｂのうち、前記玄関土間部ｇと反対側の壁面４２には、図１及び図５に示すように、屋外と連通する出入口部４３が、開閉自在に設けられる通用扉４３ａを有して、屋外に設けられたサービスヤードｃと連通するように形成されている。
【００９１】
このため、ユニット建物１５の裏側に設けられた屋外のサービスヤードｃには、この出入口部４３を通過して、前記中間床下空間ｂから出入り可能となる。
【００９２】
従って、例えば、ユニット建物１５が、他の建物や、構造物等と、隣接して構築されていたり、或いは、図５に示すような植栽４５に囲まれていて、ユニット建物１５の外周を通行して、サービスヤードｃに入りにくい状態であっても、ユニット建物１５正面から玄関開口部４６を通って、ユニット建物１５の玄関ユニット１７内に設けられた前記玄関土間部ｇに入り、前記階段下通路２４を通り、前記中間床下空間ｂのこの出入口部４３から、ユニット建物１５の裏側へ往来することが出来る。
【００９３】
従って、限られた敷地条件であっても、更に、有効に、動線を確保して活用できる。
【００９４】
更に、前記玄関土間部ｇと、前記中間床下空間ｂとの間に設けられた半区画手段としての床段差４０によって、連続性が保たれつつ、半区間されると共に、前記折り返し階段１８の側縁部に沿って設けられて半透明の目隠し部材４４…が、前記玄関土間部ｇと、前記中間床下空間ｂとの間の視線が遮られて、半遮蔽が行われる。
【００９５】
このため、更に、多様なプランニングに対応させることが出来、前記床段差４０に設けられた下り階段４０ａによって、往来が確保されて連続性が保たれつつ、前記中間床下空間ｂの位置が下がり、視覚上でも、半遮蔽が行われる。
【００９６】
また、この実施の形態では、前記半透明の目隠し部材４４…が、図４に示すように、前記折り返し階段１８の下階段部１８ａ及び上階段部１８ｂの側縁部に設けられた各手摺部２２，２２に沿って、踊り場１９の目隠し部材４４を中心として、斜め上，下に延設されるように設けられている。
【００９７】
このため、これらの目隠し部材４４によって、前記中間床下空間ｂ及び、中間床部２３の上方に位置する中間床下空間ｂが、玄関土間部ｇ方向から視覚上、半遮蔽されつつ、気配を感じられる程度の連続性が得られる。
【００９８】
しかも、この実施の形態では、前記目隠し部材４４が、半透明であるので、開放感が損なわれることがない。
【００９９】
更に、この実施の形態では、折り返し階段１８の各段部の板材間が、図１に示すように、各々水平方向紙面前後に連通するように開放された開口部形状を呈している。
【０１００】
このため、更に、開放感を向上させることができる。
【０１０１】
また、この実施の形態では、図５に示すように、前記中間床下空間ｂは、前記階段としての折り返し階段１８を挟んで、ユニット建物１５の玄関土間部ｇと反対側に位置している。
【０１０２】
このため、独立性の高い中間床下空間ｂが提供される。
【０１０３】
また、図６に示すように、前記中間床上空間ｄも、玄関ユニット１７の奥側に位置するので、独立性を高めることが可能となる。
【０１０４】
更に、この実施の形態では、前記中間床下空間ｂの高さが、１８００ｍｍであるので、利用者は、無理のない姿勢で利用できる。
【参考例１】
【０１０５】
図８及び図９は、この発明の実施の形態の参考例１の建物の空間構造を示すものである。  なお、前記実施の形態と、同一乃至均等な部分については同一符号を付して説明する。  この参考例１の建物の空間構造では、セミオープンタイプの前記中間床下空間ｂが、ＳＯＨＯ（Ｓｍａｌｌ  Ｏｆｆｉｃｅ・Ｈｏｍｅ  Ｏｆｆｉｃｅ）スペースとして用いられているものを示している。
【０１０６】
この参考例１では、図８に示すように、一階の居室空間ａと、前記中間床下空間ｂとの間に、磨りガラス入り引戸４７が設けられている。
【０１０７】
また、前記中間床上空間ｄは、図９に示すように、多目的収納家具４８が設けられて、キッズリビングとして用いられている。
【０１０８】
次に、この参考例１の作用について説明する。
【０１０９】
この参考例１では、前記実施の形態の作用効果に加えて、更に、セミオープンタイプの前記中間床下空間ｂが、ＳＯＨＯスペースとして用いられて、隣接配置された一階居室空間ａとの間に設置された磨りガラス入り引戸４７を介して、子供等、同居者の様子を確認できると共に、玄関への来客や、宅配便等にも対応できる。
【０１１０】
また、前記中間床部２３には、図９に示すように、多目的収納家具４８が設けられて、キッズリビングとして用いられている。
【０１１１】
このため、前記図１，図３及び図４に示すように、上階部分に位置する玄関ユニット１７の天井面まで、約１．５階分の高さを有する中間床上空間ｄを、開放的な遊技スペースとして活用することができる。
【０１１２】
他の構成、及び作用効果については、前記実施の形態と同一乃至均等であるので、説明を省略する。
【参考例２】
【０１１３】
図１５乃至図１７は、この発明の実施の形態の参考例２の建物の空間構造を説明するものである。
【０１１４】
なお、前記実施の形態及び参考例１と、同一乃至均等な部分については、同一符号を付して説明する。
【０１１５】
この参考例２の建物の空間構造では、クローズタイプの前記中間床下空間ｂが、集中収納スペースとして用いられているものを示している。
【０１１６】
この参考例２では、図１５に示すように、一階の下階床部１６ａから、前記折り返し階段１８の上階段部１８ｂのササラ桁材２１との間に、目隠し壁部４９が設けられている。
【０１１７】
また、上階床部１６ｂと下階床部１６ａ及び柱部５０との間には、図１６に示すように、隔壁部５１が設けられている
そして、この隔壁部５１には、ドア開口部が形成されて、開放により、前記一階居室空間ａと、中間床下空間ｂとの間で、往来を可能する片開きドア５２が、設けられている。
【０１１８】
また、前記中間床上空間ｄは、図１７に示すように、家事机５３が設けられて、ハウスキーピングコーナーとして用いられている。
【０１１９】
次に、この参考例２の建物の空間構造の作用について説明する。
【０１２０】
この参考例２の建物の空間構造では、前記実施の形態の作用効果に加えて、更に、クローズタイプの前記中間床下空間ｂが、集中収納スペースとして用いられて、隔壁部５１に設けられた片開きドア５２を、開放することにより、前記一階居室空間ａと、中間床下空間ｂとの間で、往来が可能となると共に、片開きドア５２を閉塞することにより、中間床下空間ｂ内の収納物を、一階居室空間ａ方向から見えないように隠すことが出来る。
【０１２１】
しかも、この参考例２では、図１５に示すように、一階の下階床部１６ａから、前記折り返し階段１８の上階段部１８ｂのササラ桁材２１との間に、目隠し壁部４９が設けられている。
【０１２２】
このため、玄関土間部ｇ方向からも、中間床下空間ｂ内の収納物が見えることが無く、来客に整頓された印象を与えることが出来る。
【０１２３】
また、前記中間床部２３には、図１７に示すように、家事机５３が設けられて、ハウスキーピングコーナーとして用いることができる。
【０１２４】
例えば、約１．５階分の高さを有する中間床上空間ｄを活用して、干していた洗濯物を取り込み、前記家事机５３で、アイロンがけを行って、たたむ作業等、家族共通の家事スペースとして用いることが出来る。
【０１２５】
他の構成、及び作用効果については、前記実施の形態及び参考例１と同一乃至均等であるので、説明を省略する。
【参考例３】
【０１２６】
図１８乃至図２０は、この発明の実施の形態の参考例３の建物の空間構造を説明するものである。
【０１２７】
なお、前記実施の形態及び参考例１，２と、同一乃至均等な部分については、同一符号を付して説明する。
【０１２８】
この参考例３の建物の空間構造では、オープンタイプの前記中間床下空間ｂが、ペットスペースとして用いられているものを示している。
【０１２９】
この参考例３では、図１８に示すように、一階の居室空間ａと、前記中間床下空間ｂとの間に、ガラス入り引戸５７が設けられている。
【０１３０】
また、前記中間床上空間ｄは、図１９に示すように、作業台５８が設けられて、アトリエ等、趣味コーナーとして用いられている。
【０１３１】
次に、この参考例３の建物の空間構造の作用について説明する。
【０１３２】
この参考例３の建物の空間構造では、オープンタイプの前記中間床下空間ｂが、ペットスペースとして用いられて、一階の居室空間ａと、前記中間床下空間ｂとの間に設けられたガラス入り引戸５７を介して、一階の居室空間ａ方向から、常にペットの様子を伺い知ることができる。
【０１３３】
また、図２０に示すように、玄関土間部ｇからは、往来が確保されて連続性が保たれつつ、前記中間床下空間ｂの位置が下がり、視覚上でも、半遮蔽が行われている。
【０１３４】
このため、玄関前にペットが居る場合に比して、来客への威圧感が無く、必要に応じて、そのまま、玄関土間部ｇを通り、外部へ出られるので、大型犬等、前記一階の居室空間ａ内の床面１６ｃに上げられないペットも、屋内で飼うのと同様の一体感を得られる。
【０１３５】
更に、前記玄関土間部ｇよりも一段低い中間床下空間ｂの床面２５が、コンクリート製であるので、ペットの餌や、水がこぼれても清掃等が容易であり、床面２５の劣化も少なく、長期間の使用による耐久性及び耐臭着性が良好である。
【０１３６】
そして、前記実施の形態の図５に示すように、サービスヤードｃや、この中間床下空間ｂ及びサービスヤードｃと連通するキッチンや洗面所等の水廻りに近接配置されているので、玄関前等にペットが居る場合に比して、利便性が良好である。
【０１３７】
また、前記中間床部２３には、図１９に示すように、作業台５８が設けられて、アトリエ等、趣味コーナーとして用いられている。
【０１３８】
このため、前記図１，図３及び図４に示すように、上階部分に位置する玄関ユニット１７の天井面まで、約１．５階分の高さを有する開放的な中間床上空間ｄを、趣味のコレクションの陳列や、楽器を用いた演奏場として活用することができる。
【０１３９】
他の構成、及び作用効果については、前記実施の形態及び参考例１，２と同一乃至均等であるので、説明を省略する。
【参考例４】
【０１４０】
図２１及び図２２は、この発明の実施の形態の参考例４の建物の空間構造を説明するものである。
【０１４１】
なお、前記実施の形態及び参考例１乃至３と、同一乃至均等な部分については、同一符号を付して説明する。
【０１４２】
この参考例４の建物の空間構造では、前記参考例１の折り返し階段１８の下階段部１８ａと、上階段部１８ｂとの位置が入れ替えられた折り返し階段１１８が、下階部分としての一階部分を構成する玄関ユニット１１７の略中央部に、工場内で予め設けられていて、この玄関ユニット１１７の内部に装着されたまま配送されて、施工現場で、この玄関ユニット１１７を基礎上に載置することにより、施工が略完了するように構成されている。
【０１４３】
更に、この参考例４では、この一階の玄関ユニット１１７の内部に設けられる前記折り返し階段１８として、図２１に示すように、各段部間に、水平方向に連通する開口部が形成されていて、蹴込み板が設けられていない構造を呈している。
【０１４４】
そして、前記折り返し階段１８の下階段部１８ａと、上階段部１８ｂとの間に位置する踊り場１９が、予め工場内で、一体となるように装着されている。
【０１４５】
また、この踊り場１９と、連続して、前記中間床部２３が、予め工場内で、この一階の玄関ユニット１１７の内部に一体となるように装着されている。
【０１４６】
更に、この参考例４では、半透明の目隠し板材４４…が、装着されている各手摺部２２，２２が、これらの折り返し階段１８、踊り場１９若しくは、前記中間床部２３のうち、少なくとも一箇所に予め装着されている。
【０１４７】
そして、この参考例４の一階の玄関ユニット１１７には、玄関ドア及び玄関土間部ｇを有する玄関３が予め形成されている。
【０１４８】
更に、この一階部分の玄関ユニット１１７には、床面を構成する床部が設けられていない。
【０１４９】
また、この折り返し階段１１８の上階段部１８ｂの下方には、図２１に示すように、前記階段下通路２４と、一階居室空間ａ２とを連通する下り階段部１４１が、玄関土間部ｇ側にも上面視略Ｌ字型を呈して、面するように設けられている。
【０１５０】
更に、この参考例４では、図２１に示すように、前記一階の玄関ユニット１１７の上方に、二階部分に相当する部分に吹き抜け空間ｆを形成する玄関ユニットしての二階部分の玄関ユニット１２７が、載置されるように構成されている。
【０１５１】
この二階部分の０玄関ユニット１２７には、床面部を構成する床面部が設けられていない。
【０１５２】
次に、この参考例４の作用について説明する。
【０１５３】
この参考例４では、図２２に示すように、前記玄関ユニット１１７，１２７の平面視で、長辺側の側面部１１７ａ，１２７ａに、他の建物ユニット１５，１５の短辺側の側面部１５ｂ，１５ｂが突き合わされて、所謂、妻桁繋ぎ状に、施工現場の基礎上に載置されることにより連結される。
【０１５４】
例えば、建物の間口方向の寸法を大きく設定できない場合等であっても、各建物ユニット１５，玄関ユニット１１７，１２７の組み合わせにより、多彩で合理的なプランが得られる。
【０１５５】
しかも、図２２に示すように、前記建物ユニット１５，１５の柱部１５ａ，１５ａが、各建物ユニット１５，１５と、玄関ユニット１１７，１２７との間の動線上以外としての折り返し階段１８の下階段部１８ａと上階段部１８ｂとの間に位置して、移動動線を妨げることがない。
【０１５６】
更に、図２１に示すように、前記折り返し階段１１８の上階段部１８ｂが、玄関土間部ｇ側に設けられているので、前記下り階段部１４１を介して、一階居室空間ａ２から、階段下通路２４及び、中間床下空間ｂへの出入りが容易に行える。
【０１５７】
このため、一階居室空間ａ２から、一体的に使用できる土間リビング或いは、土間収納として、これらの階段下通路２４及び、中間床下空間ｂを活用できる。
【０１５８】
また、この参考例４では、予め、前記一階部分を構成する玄関ユニット１１７に、前記玄関３、折り返し階段１８、踊り場１９及び、前記中間床部２３が一体に設けられている。  このため、施工現場へ、この玄関ユニット１１７を、搬送して載置することで、施工現場にて、前記一階居室空間ａ２から、前記階段下通路２４まで連通する下り階段部１４１を形成することで、容易に施工が完了する。
【０１５９】
しかも、この一階部分を構成する玄関ユニット１１７は、床面部が設けられていない。
【０１６０】
このように、中間床下空間ｂを形成するための前記玄関３、折り返し階段１８、踊り場１９及び、前記中間床部２３が、玄関ユニット１１７に集められて一体に設けられている。  このため、複数の建物ユニットに、床面部を設けない建物ユニットが分散してしまうこと無く、一つの床面部の無い玄関ユニット１１７に、集約可能で、生産性を良好なものとすることができる。
【０１６１】
また、この参考例４では、前記一階の玄関ユニット１１７の上方に、床面部が設けられていない玄関ユニット１２７が、載置されている。
【０１６２】
このため、前記一階の玄関ユニット１１７の玄関土間部ｇの上方空間、折り返し階段１８及び踊り場１９の上方空間、及び中間床部２３の上方の中間床上空間ｄが、二階部分に相当する部分に設けられた玄関ユニット１２７の内部空間と連通して、水平方向及び垂直方向の両方向に、開放感を得られる吹き抜け空間ｆが形成される。
【０１６３】
他の構成、及び作用効果については、前記実施の形態及び参考例１乃至３と同一乃至均等であるので、説明を省略する。
【実施例１】
【０１６４】
図２３は、この発明の実施の形態の実施例１の建物の空間構造を説明するものである。      
【０１６５】
なお、前記実施の形態及び参考例１乃至４と、同一乃至均等な部分については、同一符号を付して説明する。
【０１６６】
この実施例１の建物の空間構造では、前記参考例４の下階段部１８ａと、上階段部１８ｂとの間に、中間床部２３が設けられた階段２１８が形成されている。
【０１６７】
また、この中間床部２３は、各下階段部１８ａ及び、上階段部１８ｂの踊り場２３ａ，２３ｂと連続して一体に形成されている。
【０１６８】
そして、この中間床部２３の下方には、中間床下空間ｂが位置するように構成されている。
【０１６９】
次に、この実施例１の作用について説明する。
【０１７０】
この実施例１では、前記実施の形態の作用効果に加えて、更に、図２３に示すように、玄関ユニット２１７の略中央部に、中間床部２３が形成されている。
【０１７１】
このため、視覚的に広がりを有する中間床上空間ｄが、得られると共に、一階，二階の居室部からのアクセス性も良好である。
【０１７２】
また、この中間床部２３の下方には、独立性の高い中間床下空間ｂが提供されると共に、図２３中矢印ｉに示す部分に壁面等を設けないプランでは、一階居室空間ａ１，ａ２と、この中間床下空間ｂとが、一体となるオープンスペース提案が可能となる。
【０１７３】
他の構成、及び作用効果については、前記実施の形態及び参考例１乃至４と同一乃至均等であるので、説明を省略する。
【実施例２】
【０１７４】
図２４は、この発明の実施の形態の実施例２の建物の空間構造を説明するものである。
【０１７５】
なお、前記実施の形態、実施例１及び参考例１乃至４と、同一乃至均等な部分については、同一符号を付して説明する。
【０１７６】
この実施例２の建物の空間構造では、前記実施例１の階段２１８の下階段部１８ａと、上階段部１８ｂとの位置を、交換した階段３１８が設けられている。
【０１７７】
次に、この実施例２の作用について説明する。
【０１７８】
この実施例２では、前記実施の形態の作用効果に加えて、更に、図２４に示すように、一階居室空間ａ１の建物奥側に、キッチン等を設けたプランでは、下り階段部１４１を介して、中間床下空間ｂへのアクセス性が良好である。
【０１７９】
このため、この中間床下空間ｂを、食品等の収納庫として用いて好適である。
【０１８０】
他の構成、及び作用効果については、前記実施の形態、実施例１及び参考例１乃至４と同一乃至均等であるので、説明を省略する。
【実施例３】
【０１８１】
図２５は、この発明の実施の形態の実施例３の建物の空間構造を説明するものである。
【０１８２】
なお、前記実施の形態、実施例１、２及び参考例１乃至４と、同一乃至均等な部分については、同一符号を付して説明する。
【０１８３】
この実施例３の建物の空間構造では、前記実施例２の階段３１８の下階段部１８ａを、玄関ユニット３２７の建物奥側に位置する上階段部１８ｂと隣接して配置した階段４１８が設けられている。
【０１８４】
そして、前記玄関土間部ｇと、中間床部２３の中間床下空間ｂとが連通されている。
【０１８５】
次に、この実施例３の作用について説明する。
【０１８６】
この実施例３では、前記実施の形態の作用効果に加えて、更に、図２５に示すように、玄関ユニット３２７の建物奥側に位置する階段４１８と、玄関土間部ｇとの間に、中間床部２３が形成されて、一階居室空間ａ１の建物奥側に設けられたキッチンや、玄関３の玄関土間部ｇから、中間床下空間ｂへのアクセス性が良好である。
【０１８７】
このため、この中間床下空間ｂを、食品等の収納庫やサービスヤードとして用いて好適である。
【０１８８】
しかも、玄関土間部ｇに、中間床部２３が連設されているので、中間床上空間ｄから階段４１８の上に連続する吹き抜け空間が形成されて、玄関開口部４６方向から見た場合に、奥行きを伴った視覚的な開放感を与えることができる。
【０１８９】
他の構成、及び作用効果については、前記実施の形態、実施例１、２及び参考例１乃至４と同一乃至均等であるので、説明を省略する。
【実施例４】
【０１９０】
図２６及び図２７は、この発明の実施の形態の実施例４の建物の空間構造を説明するものである。
【０１９１】
なお、前記実施の形態、実施例１乃至３及び参考例１乃至４と、同一乃至均等な部分については、同一符号を付して説明する。
【０１９２】
この実施例４の建物の空間構造では、図２６に示すように、建物１１５の略中央に、玄関ユニット４１７，４１７が設けられると共に、これらの玄関ユニット４１７，４１７の両側に、複数の居室ユニット１１６…が、両側からこれらの玄関ユニット４１７，４１７と内部を連通させる図２７に示すような居室空間ａ１，ａ２，ａ３，ａ４及びｂ１，ｂ２を各々有して、接続されている。
【０１９３】
また、この実施例４では、玄関ユニットの前記実施例２の階段２１８の下階段部１８ａが、上階段部１８ｂとは、前記踊り場２３ａ及び２３ｂと連続して一体に形成される中間床部２３を挟んで、対角線上で反対側に位置する図２７に示すような階段４１８の下階段部１８ａとされている。
【０１９４】
次に、この実施例４の作用効果について説明する。
【０１９５】
このように構成された実施例４の建物の空間構造の階段４１８では、前記実施の形態、実施例１乃至３及び参考例１乃至４の作用効果に加えて、更に、前記下階段部１８ａ及び上階段部１８ｂとが、前記踊り場２３ａ及び２３ｂと連続して一体に形成される中間床部２３を挟んで、対角線上で反対側に位置する。
【０１９６】
このため、中間床部２３を通過して、反対側に位置する居室空間ａ１，ｂ２の間等で、移動が容易に行える。
【０１９７】
他の構成、及び作用効果については、前記実施の形態、実施例１乃至３及び参考例１乃至４と同一乃至均等であるので、説明を省略する。
【実施例５】
【０１９８】
図２８及び図２９は、この発明の実施の形態の実施例５の建物の空間構造を説明するものである。
【０１９９】
なお、前記実施の形態、参考例１乃至４及び実施例１乃至４と、同一乃至均等な部分については、同一符号を付して説明する。
【０２００】
この実施例５の建物の空間構造では、図２８に示すように、建物２１５の居室ユニット１１６，１１６間に挟まれて、略中央位置に玄関ユニット５１７，５１７が設けられている。
【０２０１】
これらの玄関ユニット５１７，５１７内では、前記実施例４の階段４１８の下階段部１８ａ及び上階段部１８ｂとは、左右方向位置を反転させた下階段部１８ａ及び上階段部１８ｂを有する階段５１８が形成されている。
【０２０２】
次に、この実施例５の作用効果について説明する。
【０２０３】
このように構成された実施例５の建物の空間構造の階段５１８では、前記実施の形態、実施例１乃至４及び参考例１乃至４の作用効果に加えて、更に、前記下階段部１８ａ及び上階段部１８ｂとが、前記踊り場２３ａ及び２３ｂと連続して一体に形成される中間床部２３を挟んで、対角線上で反対側に位置する。
【０２０４】
このため、中間床部２３を通過して、反対側に位置する居室空間ａ２，ｂ２の間等で、移動が容易に行える。
【０２０５】
他の構成及び作用効果については、前記実施の形態、実施例１乃至４及び参考例１乃至４と、同一乃至均等であるので、説明を省略する。
【０２０６】
以上、図面を参照して、本発明の実施の形態を詳述してきたが、具体的な構成は、この実施の形態に限らず、本発明の要旨を逸脱しない程度の設計的変更は、本発明に含まれる。  即ち、前記実施の形態の建物の空間構造では、前記中間床部２３と等しい高さ位置を有する前記折り返し階段１８の踊り場１９は、下階床部１６ａから７段目の前記踊り場１９までの下階段部１８ａ及びこの踊り場１９から上階床部１６ｂまでの上階段部１８ｂとを同一の７段として、前記床面２５から中間床部２３までの高さＨ１を、約１８００ｍｍとしているが、特に、中間床部２３と接続される踊り場１９を何段目に設けても良く、折り返し階段の下方に、前記玄関土間部ｇと、前記中間床下空間ｂとを連通する階段下通路２４が設けられているものであるならば、例えば、螺旋階段や、Ｌ字状階段等、どのような形状、段数及び材質の折り返し階段であってもよい。
【０２０７】
更に、この実施の形態では、前記中間床下空間の高さが、Ｈ１＝１７５０ｍｍに設定されているが、特にこれに限らず、例えば、１８００ｍｍや１６５０ｍｍ等、１６００ｍｍ以上で、利用者が、無理のない姿勢で利用できるものであるならば、どのような高さＨ１に設定されていてもよい。
【符号の説明】
【０２０８】
１５，１１５，２１５              ユニット建物（建物）
１５ｂ，１１７ａ，２１７ａ        側面部
１６ａ                            下階床部
１６ｂ                            上階床部
１６ｃ                            （下階床部の）床面
１７，１１７，１２７，２１７，３２７，４１７，５１７
玄関ユニット
１８                              折り返し階段（階段）
１８ａ                            下階段部
１８ｂ                            上階段部
１９，２３ａ，２３ｂ              踊り場
２３                              中間床部
２４                              階段下通路
４０                              床段差
４２                              壁面
４３                              出入口部
４４                              目隠し部材
ｂ                                中間床下空間
ｄ                                中間床上空間
ｆ                                吹き抜け空間
ｇ                                玄関土間部
【手続補正２】
【補正対象書類名】特許請求の範囲
【補正対象項目名】全文
【補正方法】変更
【補正の内容】
【特許請求の範囲】
【請求項１】
下階床部と、上階床部とを連結すると共に、中間部に踊り場が形成されて、折り返す折り返し階段を有し、
該踊り場の階段昇降方向と平面視で平行する辺に、該踊り場と略同一高さとして、該踊り場と連設される中間床部を設け、前記折り返し階段の下階段部と上階段部とのうち、何れか少なくとも一方が、該中間床部を挟んで、該建物の玄関とは、反対側に設けられ、該中間床部の下方には、下階床部の床面よりも低い位置に床面を有すると共に、前記折り返し階段と、該建物の玄関土間部との間に、中間床下空間が設けられていて、該折り返し階段の下方に設けられた階段下通路の床面の上下方向位置を、該中間床下空間の床面の上下方向位置と、同じ高さとなるように揃えて、前記下階床部の床面よりも低い位置に設定したことを特徴とする建物の空間構造。
【請求項２】
前記折り返し階段が、下階段部と、上階段部とを隣接させて、前記中間床部を挟んで、該建物の玄関とは、反対側に設けられたことを特徴とする請求項１記載の建物の空間構造。
【請求項３】
前記折り返し階段が、下階段部と、上階段部との間に、前記中間床部を設けていることを特徴とする請求項１記載の建物の空間構造。
【請求項４】
前記折り返し階段の下方では、前記下階床部と、階段下通路の床面との間を下り階段が接続することを特徴とする請求項１乃至３のうち、何れか一項記載の建物の空間構造。
【請求項５】
前記中間床下空間のうち、前記玄関土間部と反対側の壁面には、屋外と連通する出入口部が形成されていることを特徴とする請求項１乃至４のうち、何れか一項記載の建物の空間構造。
【請求項６】
前記玄関土間部と、前記中間床下空間との間には、連続性を保ちつつ、半遮蔽を行う半区画手段が設けられていることを特徴とする請求項１乃至５のうち、何れか一項記載の建物の空間構造。
【請求項７】
前記半区画手段は、玄関土間の床部と、中間床下空間の床部との間に、形成される床段差であることを特徴とする請求項６記載の建物の空間構造。
【請求項８】
前記半区画手段は、前記折り返し階段の側縁に沿って設けられる手摺部に装着された半透明の目隠し板材であることを特徴とする請求項６記載の建物の空間構造。
【請求項９】
前記中間床下空間の高さが、１６００ｍｍ以上であることを特徴とする請求項１乃至８のうち、何れか一項記載の建物の空間構造。
【請求項１０】
前記中間床下空間は、前記折り返し階段のうち、下階段部及び上階段部との間で、踊り場と連続して一体に形成される中間床部の下方に位置することを特徴とする請求項１乃至９のうち、何れか一項記載の建物の空間構造。
【請求項１１】
前記少なくとも中間床部を内部に有する建物ユニットの上部に、床面部が省略されて、前記中間床部の上方の中間床上空間と、内部空間とを連通させる建物ユニットが載置されることを特徴とする請求項１乃至１０のうち、何れか一項記載の建物の空間構造。
【請求項１２】
前記建物ユニットの内部に設けられた中間床部又は、該中間床部に連結される折り返し階段の手摺部には、半透明の目隠し板材が装着されていることを特徴とする請求項１１記載の建物の空間構造。
【請求項１３】
前記建物ユニットの内部に設けられた中間床部に連結される折り返し階段には、各段部間に水平方向に連通する開口部が形成されていることを特徴とする請求項１１又は１２記載の建物の空間構造。
【請求項１４】
前記建物ユニットの平面視で、長辺側の側面部に、他の建物ユニットの短辺側の側面部を連結すると共に、該他の建物ユニットの柱部が、各建物ユニット間の動線上以外に位置することを特徴とする請求項１乃至乃至１３のうち、何れか一項記載の建物の空間構造。